(57)【特許請求の範囲】
【請求項１】
ＰＣカードその他のメモリデバイス（１１）と接続可能としたコネクタ本体（６）と、コネクタ本体（６）に接続されたメモリデバイス（１１）を抜去する為のイジェクト機構（８）を備え、前記イジェクト機構（８）が、回動可能に設置したイジェクトレバー（２１）と、このイジェクトレバー（２１）の回動操作の為に、コネクタ本体（６）の側方に、メモリデバイス（１１）の接続方向で移動可能に設置したイジェクトロッドで構成されているカード用コネクタ（１、３０）において、
前記イジェクトロッドが、ロッドケース（２２）内に収容されて、イジェクトロッドの移動の為の操作ボタン（２）がロッドケース（２２）から前記接続方向に沿って挿入手前側に突出しており、該ロッドケース（２２）の底面と略面一となるように短冊状の固定用タブ（３）が該操作ボタン（２）の取付基板（４）側に対向して設けられると共に該固定用タブ（３）の中央部に該操作ボタン（２）と対向するようにネジ穴（２７）が形成され、当該ねじ穴（２７）に取付基板（４）を挿通したねじ（５）を挿入することにより、ロッドケース（２２）を取付基板（４）に固定することを特徴とするカード用コネクタ。
【請求項２】
コネクタ本体（６）に、メモリデバイス（１１）を覆う為のメタルシェル（７）が設けてあり、メタルシェル（７）と別体のロッドケース（２２）が組付けによってメタルシェル（７）に連結されている請求項１に記載のカード用コネクタ。
【請求項３】
コネクタ本体（６）に、メモリデバイス（１１）を覆う為のメタルシェル（７）が設けてあり、ロッドケース（２２）がこのメタルシェル（７）と一体に構成されている請求項１に記載のカード用コネクタ。
【請求項４】
コネクタ本体（６）に、ロッドケース（２２）が直接組み付けられている請求項１に記載のカード用コネクタ。
【請求項５】
固定用タブ（３）は、ロッドケース（２２）から連続させて延設してある請求項１乃至４の何れか１項に記載のカード用コネクタ。
【請求項６】
固定用タブ（３）は、メタルシェル（７）から連続させて延設してある請求項２又は３に記載のカード用コネクタ。
【発明の詳細な説明】
【０００１】
【発明の属する技術分野】
この発明は、ＰＣカード、ハードディスクドライブ（ＨＤＤ）などのカード状のメモリデバイスを差し込んで接続できるようにしたカード用コネクタに関する。
【０００２】
【従来の技術】
従来、この種のコネクタは、ＰＣカードその他のメモリデバイスと接続可能としたコネクタ本体と、コネクタ本体に接続されたメモリデバイスを抜去する為のイジェクト機構を備えた構成とされている（例えば、特開平９−２３７６６６号公報参照）。メモリデバイスを抜去する為のイジェクト機構は、回動可能に設置したイジェクトレバーと、このイジェクトレバーの回動操作の為に、コネクタ本体の側方に、メモリデバイスの接続方向で移動可能に設置したイジェクトロッドで構成されているのが一般的である。イジェクトロッドの移動を介してイジェクトレバーが回動するようにし、そして、イジェクトレバーに形成した係止爪がメモリデバイスに係合するようにしている。前記イジェクトレバーは、コネクタ本体に回動可能に設置されたものや、コネクタ本体にメモリデバイスを覆う為のメタルシェルを設け、このメタルシェルの内面に回動可能に設置されたものがある。
【０００３】
前記イジェクトロッドは、端部に操作ボタンを設けて直接操作するものの他、コネクタ本体の側部に設置したロッドケース内で、操作ボタン付の操作ロッドとカム機構（ハートカム）などを介して連結して、操作ロッドを介して操作するようにしたものが知られている。何れの場合も、操作ボタンがコネクタ本体の側方でメモリデバイスの接続方向に沿って配置され、コネクタ本体と接続したメモリデバイスを抜去する際に、操作ボタンを前方、即ち、コネクタ本体に向って押し込むように構成されている。
【０００４】
イジェクトロッドがロッドケース内に収容されて、操作ロッドと連結した構成のものでは、メモリデバイスを抜去する際の、操作ボタンを押し込む力がイジェクトレバーのみに伝達されて、コネクタ本体やメタルシェルには伝達されないようにする為に、前記ロッドケースを、このカード用コネクタを取付ける取付基板に、Ｌ字状の固定脚などによって固定したり、ロッドケースと一体のメタルシェルをＬ字状の固定脚などによって固定するようにしている。コネクタ本体を構成している端子と取付基板の回路導体の半田付け部分に応力がかかって半田接続の信頼性が損なわれないようにする為である。
【０００５】
【発明が解決しようとする課題】
前記のように、ロッドケースやメタルシェルを固定脚で固定するように構成したカード用コネクタにおいては、固定脚が取付基板上で一定の面積を占有する為に、高密度実装による基板面の有効利用を妨げる問題点があった。即ち、固定脚と取付基板を連結する部分が、ロッドケースの側壁外側や、メタルシェルの側壁外側（前記特開平９−２３７６６６号公報の、後方ステイ７１ａ、７１ｂ参照）に張り出す為である。
【０００６】
固定脚の取付基板との連結部分を、このカード用コネクタに接続されるメモリデバイスの下部のスタンドオフ内に配置するようにして、外部には張り出さないようにする試みがあるが、このスタンドオフの部分も、高密度実装の為には他の回路部品の配置に利用したい部分であり、また、固定脚の組付け作業が難しくなるなどの問題があって、有効ではなかった。
【０００７】
この発明は斯かる問題点に鑑みてなされたもので、イジェクトロッドがロッドケースに収容されているカード用コネクタであって、取付基板上でカード用コネクタが占有する面積が拡大しないようにしたロッドケースの固定構造を提供することを目的としている。
【０００８】
【課題を解決するための手段】
前記の目的のもとになされたこの発明は、イジェクトロッドに対する操作ボタンの下方のスペースを有効に利用したものである。
【０００９】
即ちこの発明は、ＰＣカードその他のメモリデバイスと接続可能としたコネクタ本体と、コネクタ本体に接続されたメモリデバイスを抜去する為のイジェクト機構を備え、前記イジェクト機構が、回動可能に設置したイジェクトレバーと、このイジェクトレバーの回動操作の為に、コネクタ本体の側方に、メモリデバイスの接続方向で移動可能に設置したイジェクトロッドで構成されているカード用コネクタにおいて、前記イジェクトロッドが、ロッドケース内に収容されて、イジェクトロッドの移動の為の操作ボタンがロッドケースから前記接続方向に沿って挿入手前側に突出しており、該ロッドケースの底面と略面一となるように短冊状の固定用タブが該操作ボタンの取付基板側に対向して設けられると共に該固定用タブの中央部に該操作ボタン（２）と対向するようにネジ穴が形成され、当該ねじ穴に取付基板を挿通したねじを挿入することにより、ロッドケースを取付基板に固定することを特徴とするカード用コネクタである。
【００１０】
以下に説明する第１の実施形態では、カード用コネクタにメタルシェルが設けられ、このメタルシェルにロッドケースを組み付けた構成とされているが、メタルシェルとロッドケースの両者を一体とすることもできる。また、第２の実施形態のように、メタルシェルを設けることなく、ロッドケースをコネクタ本体に直接組み付けることもできる。固定用タブは、ロッドケースから連続させて延設しても良く、メタルシェルから連続させて延設しても良い。このようにして設けた固定用タブには、バーリング穴にタップ加工を施すなどの加工によってねじ穴を形成し、取付基板に挿通したねじと結合可能としたり、ねじ挿通孔を形成することができる。
【００１１】
【作用】
このように構成されたこの発明のカード用コネクタによれば、ロッドケースの固定の為に設けた固定用タブに形成されたねじ穴を、操作ボタンの取付基板への投影面内に収めることが可能で、取付基板上でカード用コネクタが占有する面積が拡大するのを避けることができる。
【００１２】
【発明の実施の形態】
以下、この発明の実施形態を添付の図を参照して説明する。図１は、図２乃至図６に示した第１の実施形態のカード用コネクタ１の要部を拡大して示している。図１において、２が操作ボタンであり、この操作ボタン２の図中下側に対向させて、固定用タブ３が設けられて、プリント回路基板などの取付基板４にねじ５で固定できるようになっている。
【００１３】
このカード用コネクタ１は、コネクタ本体６（図６参照）と、メタルシェル７と、イジェクト機構８とを備えている。コネクタ本体６を、図６を参照して説明すると、絶縁ハウジング９と複数の端子１０とで構成されている。絶縁ハウジング９は、中央の端子装着部分９ａの両端に略直角にカード案内部分９ｂを連設した形状に成形されている。端子１０は端子装着部分９ａに、図３に示してあるように、上下２段で所定のピッチの横並び状態で装着されて、端子装着部分９ａからカード案内部分９ｂの延びる方向に、ピン端子１０ａを突出させて、カード状のメモリデバイス（図２の点線図示１１）のソケット端子と嵌合して接続できるようにしてある。ピン端子１０ａと反対側には、半田テイル１０ｂが延びて、取付基板４の導電部分と半田接続ができるようにしてある。全ての端子１０の半田テイル１０ｂが横１列で整列させてある。
【００１４】
絶縁ハウジング９のカード案内部分９ｂの底面には位置決めボス１２が設けてあり、また、端子装着部分９ａの底面両側部には、金属ネイル１３が設けてある。
【００１５】
メタルシェル７は、絶縁ハウジング９の端子装着部分９ａとカード案内部分９ｂで囲まれた領域の上部を略覆うようにしたもので、手前側にカード挿入口１４が前記ピン端子１０ａの整列部分と対向して形成されるようにしている。メタルシェル７の左側縁には、絶縁ハウジング９の左側のカード案内部分９ｂの外壁に沿うようにした側壁１５が垂下させてある。右側縁には、前方と手前側に、それぞれ、絶縁ハウジング９の右側のカード案内部分９ｂの外壁に沿うようにした側壁１６ａ、１６ｂが垂下させてある。
【００１６】
メタルシェル７と絶縁ハウジング９は、図５に表れているように、各側壁１５、１６ａ、１６ｂに形成した角窓孔１７に、絶縁ハウジング９のカード案内部分９ｂの外壁に形成した角突部１８が嵌入するようにして両部材の一体化が図られるようにしてある。また、メタルシェル７の前端部両側には、外形を多角形としてその中央に円孔を形成した突片１９が設けられて、この突片１９が、絶縁ハウジング９の端子装着部分９ａの上面両側部に形成した受入凹部２０に納まって、互いに係合するようにしてある。
【００１７】
イジェクト機構８は、図７に示したように、メタルシェル７の内面に回動可能に支持されているイジェクトレバー２１と、ロッドケース２２内でカム機構を介して連結されているイジェクトロッドおよび操作ロッド２３とで構成されている。イジェクトロッドはロッドケース２２内に収容されており、図面上には表れていない。イジェクトレバー２１の一端がロッドケース２２内でイジェクトロッドに連結されている。操作ロッド２３のロッドケース２２の手前側に突出している端部に前記操作ボタン２が取付けられて、メタルシェル７で形成されているカード挿入口１４の側方に配置されている。
【００１８】
イジェクトロッドと操作ロッド２３は、ロッドケース２２内で、前後方向、即ち、カード挿入口１４からメモリデバイス１１を挿入してコネクタ本体６に接続する方向に沿って前後に、それぞれ、移動可能とされている。そして、カム機構が、操作ロッド２３の突出部に取付けた操作ボタン２を図示した状態と、図６、７で鎖線で表した更に突出した状態の間で操作できるようにしてある。操作ボタン２が図６、７のように突出した状態になると操作ロッド２３とイジェクトロッドが直結状態となり、この状態で操作ボタン２を押し込むとイジェクトロッドと連結されているイジェクトレバー２１が回動するようになっている。
【００１９】
イジェクトレバー２１は、端部にメモリデバイス１１と係合できる係止爪２４が形成してあり、回動によって、図６、７に点線で示した位置に移動することでメモリデバイス１１とコネクタ本体６の接続を解除するようにしている。
【００２０】
ロッドケース２２は、金属板が略角筒状に成形されているもので、前記メタルシェル７とは、メタルシェル７の右側縁の側壁１６ａ、１６ｂ間で垂下させることなく横方向に延長した連結片１６ｃと連結部２５において互いに連結して一体化してある。連結片１６ｃの端縁に突片を設けて、ロッドケース２２側の突片の窓孔に突入させるなどの、板金加工において一般に採用される係止構造によっている。
【００２１】
また、ロッドケース２２は、コネクタ本体６とも連結されている。ロッドケース２２の底壁前方に延長して設けた係止突片２６を、絶縁ハウジング９側の金属ネイル１３から立ち上げてある係合片１３ａに係止してある。
【００２２】
そして更に、ロッドケース２２の手前側に、内側壁から連続させて、ロッドケース２２の底面と略面一となるように前記固定用タブ３が延長して設けてあるのである。操作ロッド２３の突出部に操作ボタン２が取付けてあり、この操作ボタン２の下側に対向するようにして固定用タブ３が配置されている。固定用タブ３はロッドケース２２の幅と略等しい幅の短冊状をしており、これはまた、操作ボタン２の幅とも略等しくされている。
【００２３】
図１及び図６、図７に示されているように、固定用タブ３の中央部には、下面側から上面に向って成形したバーリング穴にタップ加工が施されて、操作ボタン２に対向するように、ねじ穴２７が設けてある。このねじ穴２７に対して、図１に鎖線で示したように、取付基板４の下面側から挿通したねじ５を連結することで、固定用タブ３を取付基板４に簡単に固定できるようにしてある。
【００２４】
上記のように構成された実施形態のカード用コネクタ１によれば、ロッドケース２２を取付基板４に固定用タブ３を介してしっかりと固定することができる。そして、イジェクト機構８を操作する力がコネクタ本体６に伝達されないようにして、端子１０の半田テイル１０ｂの半田付け部分を保護することができる。
【００２５】
しかも、固定用タブ３に形成されたねじ穴２７を、操作ボタン２の下側に対向させて、操作ボタン２の投影面内に設けたので、取付基板４上におけるカード用コネクタ１が占有する面積が拡大するのを避けることができ、取付基板４の高密度実装に資することができる。また、コネクタ本体６に接続されたメモリカード１１の下側のスタンドオフ空間２８（図３）に配置される部材もないので、このスタンドオフ空間２８を利用して取付基板４に部品を実装することも可能となり、一層の高密度実装を可能にする。
【００２６】
固定用タブ３のねじ穴２７は、単なるねじ挿通孔とすることもできるが、実施形態のようにねじ穴２７を設けると、取付基板４の下面側からの固定作業が可能で、作業がし易く能率向上を図ることが可能である。
【００２７】
上記の実施形態では、メタルシェル７とロッドケース２２を別体の構成として組み付けるようにしたが、両者を一体に構成することも僅かな設計変更で可能である。そして、固定用タブ３も、メタルシェル７側から連続させて延設するようにしても良いものである。
【００２８】
図８には、更に、メタルシェル７を備えていない第２の実施形態のカード用コネクタ３０を示した。イジェクトレバー２１がコネクタ本体６の絶縁ハウジング９に回動可能に取付けられている。イジェクトロッドと操作ロッド２３を収容したロッドケース２２も絶縁ハウジング９に添設させて組み付けられている。固定用タブ３がロッドケース２２の底面と略面一で延設されて、固定用タブ３に形成されたねじ穴（図示せず）が操作ボタン２の下側に対向させて配置されている。
【００２９】
【発明の効果】
以上に説明の通り、この発明によれば、ロッドケースを固定する為の固定用タブに形成されたねじ穴をイジェクトロッドを操作する操作ボタンの下側に対向させて設けたので、取付基板上で占有する面積が拡大するのを避けたカード用コネクタを提供することができ、高密度実装に寄与することができる。
【図面の簡単な説明】
【図１】  この発明の第１の実施形態のカード用コネクタの要部を拡大して示した側面図である。
【図２】  同じくカード用コネクタの平面図である。
【図３】  同じくカード用コネクタの正面図である。
【図４】  同じくカード用コネクタの右側面図である。
【図５】  同じくカード用コネクタの左側面図である。
【図６】  同じくカード用コネクタの底面図である。
【図７】  同じくカード用コネクタの、コネクタ本体を取り除いて示した底面図である。
【図８】  この発明の第２の実施形態のカード用コネクタの平面図である。
【符号の説明】
１、３０      カード用コネクタ
２          操作ボタン
３          固定用タブ
４          取付基板
５          ねじ
６          コネクタ本体
７          メタルシェル
８          イジェクト機構
１１        メモリカード
２１        イジェクトレバー
２２        ロッドケース
２７        ねじ穴
【図１】
0004224632.tif 000002
【図２】
0004224632.tif 000003
【図３】
0004224632.tif 000004
【図４】
0004224632.tif 000005
【図５】
0004224632.tif 000006
【図６】
0004224632.tif 000007
【図７】
0004224632.tif 000008
【図８】
0004224632.tif 000009